(57)【要約】【課題】ユーザの要望に応じた遠隔監視が行え得る給湯システムを提供する。【解決手段】給湯システム１は、携帯端末装置３０からの要求に基づいて給湯装置１０に関わる状態を示す状態情報が携帯端末装置３０に送られる第１監視機能と、給湯装置１０が監視対象の事象を検出したことに基づいて当該事象の発生を示す通知情報が携帯端末装置３０に送られる第２監視機能と、を実行可能な制御部５０１と、第１監視機能と第２監視機能の双方が実行されるか第１監視機能のみが実行されるかの選択、および、複数の監視対象の事象の中からの通知情報が携帯端末装置３０に送られる監視対象の事象の選択のうち、少なくとも一つの選択を行う入力を受け付ける入力部３０２と、を備える。【選択図】図２
2020094728.tif 000002
【特許請求の範囲】
【請求項１】
給湯装置を通信端末装置により遠隔監視する給湯システムにおいて、
前記通信端末装置からの要求に基づいて前記給湯装置に関わる状態を示す状態情報が前記通信端末装置に送られる第１監視機能と、前記給湯装置が監視対象の事象を検出したことに基づいて当該事象の発生を示す通知情報が前記通信端末装置に送られる第２監視機能と、を実行可能な制御部と、
前記第１監視機能と前記第２監視機能の双方が実行されるか前記第１監視機能のみが実行されるかの選択、および、複数の監視対象の事象の中からの前記通知情報が前記通信端末装置に送られる監視対象の事象の選択のうち、少なくとも一つの選択を行う入力を受け付ける入力部と、
を備えることを特徴とする給湯システム。
【請求項２】
請求項１に記載の給湯システムにおいて、
前記入力部は、
前記第１監視機能のみを前記制御部に実行させるための第１ボタンと、
前記第１監視機能と前記通知情報が前記通信端末装置に送られる監視対象の事象が相対的に少ない前記第２監視機能とを前記制御部に実行させるための第２ボタンと、
前記第１監視機能と前記通知情報が前記通信端末装置に送られる監視対象の事象が相対的に多い前記第２監視機能とを前記制御部に実行させるための第３ボタンと、を含む、
ことを特徴とする給湯システム。
【請求項３】
請求項１または２に記載の給湯システムにおいて、
前記給湯装置および前記通信端末装置と通信可能に設けられ、前記給湯装置から受信した前記状態情報および前記通知情報を前記通信端末装置に送信する管理装置を、さらに備え、
前記入力部は、前記通信端末装置に設けられ、複数の監視対象の事象の中からの前記通知情報が前記通信端末装置に送られる監視対象の事象の選択を受け付け、
前記給湯装置は、前記通信端末装置で受け付けられた選択結果に基づくことなく、前記複数の監視対象の事象についての前記通知情報を前記管理装置に送信し、
前記管理装置は、記憶部と前記制御部とを含み、
前記記憶部は、前記通信端末装置に対応付けて前記選択結果を記憶し、
前記制御部は、前記給湯装置から前記通知情報を受信すると、当該通知情報を前記選択結果に従って前記通信端末装置に送信する、
ことを特徴とする給湯システム。
【請求項４】
請求項１ないし３の何れか一項に記載の給湯システムの一部を構成する給湯装置。
【請求項５】
通信端末装置のコンピュータに、
前記通信端末装置からの要求に基づいて給湯装置に関わる状態を示す状態情報が前記通信端末装置に送られる第１監視機能と、前記給湯装置が監視対象の事象を検出したことに基づいて当該事象の発生を示す通知情報が前記通信端末装置に送られる第２監視機能の双方が実行されるか前記第１監視機能のみが実行されるかの選択、および、複数の監視対象の事象の中からの前記通知情報が前記通信端末装置に送られる監視対象の事象の選択のうち、少なくとも一つの選択を行う入力を受け付ける機能と、
受け付けた選択結果を、前記給湯装置および前記通信端末装置と通信可能に設けられ、前記第１監視機能と前記第２監視機能とを実行可能な管理装置に送信する機能と、を実行させる、
ことを特徴とするプログラム。
【発明の詳細な説明】
【技術分野】
【０００１】
本発明は、外部通信網と接続可能な給湯装置を通信端末装置によって遠隔制御する給湯システム、当該給湯システムを構成可能な給湯装置、および通信端末装置に所定の機能を実行させるプログラムに関する。
【背景技術】
【０００２】
近年、風呂機能や床暖房機能等を有する給湯装置を携帯電話機等の携帯端末装置を用いて遠隔監視できる給湯システムが検討されている。家族、親族などの家から離れて暮らす携帯端末装置の操作者は、その家に置かれた給湯装置を遠隔監視することで、家族、親族などの様子に変化がないかを見守ることができる。
【０００３】
たとえば、特許文献１には、携帯情報端末を介してインターネットに接続することにより、運転操作や運転情報を取得することで運転情報が確認できる給湯器が記載されている。また、特許文献２には、設定した時間が経過しても入浴者が湯船から出ない場合に、登録した電話番号の電話機に緊急自動通報を行うようにした見守りシステムが記載されている。
【先行技術文献】
【特許文献】
【０００４】
【特許文献１】特許第３７６０８７６号公報
【特許文献２】特開２００３−２６５５７３号公報
【発明の概要】
【発明が解決しようとする課題】
【０００５】
要望される遠隔監視の内容は、ユーザごとに異なり得る。よって、給湯システムが、画一的な内容の遠隔監視しか行われないような構成とされた場合、ユーザによっては、情報不足であるために十分に役立たなかったり、情報過多であるために煩わしく感じたりする虞がある。
【０００６】
かかる課題に鑑み、本発明は、ユーザの要望に応じた遠隔監視が行え得る給湯システム、給湯装置およびプログラムを提供することを目的とする。
【課題を解決するための手段】
【０００７】
本発明の第１の態様は、給湯装置を通信端末装置により遠隔監視する給湯システムに関する。本態様に係る給湯システムは、前記通信端末装置からの要求に基づいて前記給湯装置に関わる状態を示す状態情報が前記通信端末装置に送られる第１監視機能と、前記給湯装置が監視対象の事象を検出したことに基づいて当該事象の発生を示す通知情報が前記通信端末装置に送られる第２監視機能と、を実行可能な制御部と、前記第１監視機能と前記第２監視機能の双方が実行されるか前記第１監視機能のみが実行されるかの選択、および、複数の監視対象の事象の中からの前記通知情報が前記通信端末装置に送られる監視対象の事象の選択のうち、少なくとも一つの選択を行う入力を受け付ける入力部と、を備える。
【０００８】
ここで、状態情報には、給湯装置の設定状態を示す情報、浴槽内の人の有無を示す情報、などが含まれ得る。また、監視対象の事象には、ふろ自動機能の運転の開始操作および終了操作の少なくとも何れか一つ、追い焚き機能の運転の開始操作および終了操作の少なくとも何れか一つ、浴槽に対する人の入浴および退浴の少なくとも何れか一つ、浴室に対する人の入室および退室の少なくとも何れか一つ、などが含まれ得る。
【０００９】
上記の構成によれば、ユーザは、自身に適した遠隔監視の内容を選択して給湯システムに行わせることができる。
【００１０】
本態様に係る給湯システムにおいて、前記入力部は、前記第１監視機能のみを前記制御部に実行させるための第１ボタンと、前記第１監視機能と前記通知情報が前記通信端末装置に送られる監視対象の事象が相対的に少ない前記第２監視機能とを前記制御部に実行させるための第２ボタンと、前記第１監視機能と前記通知情報が前記通信端末装置に送られる監視対象の事象が相対的に多い前記第２監視機能とを前記制御部に実行させるための第３ボタンと、を含む。
【００１１】
第１監視機能と第２監視機能の双方が実行される場合の方が、第１監視機能のみが実行される場合よりも監視レベルが高いと言え、第１監視機能と第２監視機能の双方が実行される場合、さらに、通知情報が通信端末装置に送られる監視対象の事象が第２監視機能に多く含まれる方が、監視レベルが高いと言える。
【００１２】
上記の構成によれば、ユーザは、第１ボタン、第２ボタンおよび第３ボタンによる選択操作を行うことより、容易に、自身が要望する監視レベルの遠隔監視を給湯システムに行わせることができる。
【００１３】
本態様に係る給湯システムにおいて、前記給湯装置および前記通信端末装置と通信可能に設けられ、前記給湯装置から受信した前記状態情報および前記通知情報を前記通信端末装置に送信する管理装置を、さらに備えるような構成が採られ得る。この場合、前記入力部は、前記通信端末装置に設けられ、複数の監視対象の事象の中からの前記通知情報が前記通信端末装置に送られる監視対象の事象の選択を受け付ける。また、前記給湯装置は、前記通信端末装置で受け付けられた選択結果に基づくことなく、前記複数の監視対象の事象についての前記通知情報を前記管理装置に送信する。そして、前記管理装置は、記憶部と前記制御部とを含む。前記記憶部は、前記通信端末装置に対応付けて前記選択結果を記憶し、前記制御部は、前記給湯装置から前記通知情報を受信すると、当該通知情報を前記選択結果に従って前記通信端末装置に送信する。
【００１４】
上記の構成によれば、給湯装置からは通信端末装置での選択結果に基づくことなく、全ての監視対象の事象について、それらの事象が発生したときに通知情報が管理装置へ送信され、管理装置側において、送信された通知情報が、選択結果に従って通信端末装置に送信される。これにより、同じ給湯装置の遠隔監視を行う通信端末装置が複数存在する場合に、それぞれの通信端末装置の間で異なる選択を行うことが可能となる。
【００１５】
本発明の第２の態様は、給湯装置に関する。本態様に係る給湯装置は、上記第１の態様に係る給湯システムの一部を構成する。
【００１６】
上記の構成によれば、上記第１の態様と同様の効果を奏することができる。
【００１７】
本発明の第３の態様は、プログラムに関する。本態様に係るプログラムは、通信端末装置のコンピュータに、前記通信端末装置からの要求に基づいて給湯装置に関わる状態を示す状態情報が前記通信端末装置に送られる第１監視機能と、前記給湯装置が監視対象の事象を検出したことに基づいて当該事象の発生を示す通知情報が前記通信端末装置に送られる第２監視機能の双方が実行されるか前記第１監視機能のみが実行されるかの選択、および、複数の監視対象の事象の中からの前記通知情報が前記通信端末装置に送られる監視対象の事象の選択のうち、少なくとも一つの選択のための入力を受け付ける機能と、受け付けた選択結果を、前記給湯装置および前記通信端末装置と通信可能に設けられ、前記第１監視機能と前記第２監視機能とを実行可能な管理装置に送信する機能と、を実行させる。
【００１８】
上記の構成によれば、上記第１の態様と同様の効果を奏することができる。
【発明の効果】
【００１９】
以上のとおり、本発明によれば、ユーザの要望に応じた遠隔監視が行え得る給湯システム、給湯装置およびプログラムを提供できる。
【００２０】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２１】
【図１】図１は、実施形態に係る、給湯システムの構成を示す図である。
【図２】図２は、実施形態に係る、給湯システムを構成する各機器の回路ブロックを示す図である。
【図３】図３（ａ）、（ｂ）は、それぞれ、実施形態に係る、給湯装置と携帯端末装置とをペアリングするための、台所リモコンと携帯端末装置における処理を示すフローチャートである。
【図４】図４（ａ）は、実施形態に係る、携帯端末装置において管理される給湯装置と携帯端末装置とのペアリング情報の構成を示す図である。図４（ｂ）、（ｃ）は、実施形態に係る、携帯端末装置を用いて遠隔制御を行う際に携帯端末装置に表示される画面を示す図である。
【図５】図５（ａ）は、実施形態に係る、遠隔監視画面を示す図であり、図５（ｂ）は、実施形態に係る、遠隔操作画面を示す図である。
【図６】図６（ａ）は、実施形態に係る、設定処理を示すフローチャートであり、図６（ｂ）は、実施形態に係る、設定画面の構成を示す図である。
【図７】図７（ａ）は、実施形態に係る、登録処理を示すフローチャートであり、図７（ｂ）は、実施形態に係る、監視レベルが登録された登録テーブルの構成を示す図である。
【図８】図８は、実施形態に係る、給湯装置の台所リモコンの制御部により実行される遠隔監視処理を示すフローチャートである。
【図９】図９は、実施形態に係る、サーバの制御部により実行される遠隔監視処理を示すフローチャートである。
【図１０】図１０は、実施形態に係る、携帯端末装置の制御部により実行される遠隔監視処理を示すフローチャートである。
【図１１】図１１（ａ）および（ｂ）は、実施形態に係る、通知画面の一例を示す図である。
【図１２】図１２（ａ）ないし（ｃ）は、変更例に係る、通知情報が携帯端末装置に送られる監視対象の事象の選択設定について説明するための図である。
【図１３】図１３（ａ）および（ｂ）は、変更例に係る、通知情報が携帯端末装置に送られる監視対象の事象の選択設定について説明するための図である。
【発明を実施するための形態】
【００２２】
以下、本発明の実施形態について図面を参照して説明する。
【００２３】
図１は、実施形態に係る、給湯システム１の構成を示す図である。
【００２４】
図１に示すように、給湯システム１は、給湯装置１０と、ルータ２０と、携帯端末装置３０と、外部通信網４０と、サーバ５０とを備える。
【００２５】
給湯装置１０は、給湯器１１と、リモートコントローラ１２、１３を備えている。給湯器１１は、ガスを燃料として湯を供給するガス給湯器である。給湯器１１により生成された湯は、給湯口１１ａにそれぞれ接続された配管を介して、台所の蛇口や、浴槽、カラン等に供給される。給湯器１１が、床暖房機能や、浴室暖房機能およびパネルヒータによる暖房機能を備える場合、これら機能を実現する機器に対して、給湯器１１から湯が供給される。
【００２６】
給湯装置１０は、カラン等に湯を供給する給湯機能、浴槽にお湯を張る湯張り機能の他、浴槽内に湯が張られた後にその湯を保温する保温機能と、浴槽内の湯を追い焚きする追い焚き機能と、浴槽内にお湯を足す足し湯機能とを備える。湯張り機能とそれに続く保温機能とによりふろ自動機能が構成される。ふろ自動機能が、湯張り機能のみにより構成される場合もある。保温機能および追い焚き機能では、浴槽と給湯器１１との間でお湯が循環し循環中のお湯が加熱されることによってお湯が熱くなる。
【００２７】
リモートコントローラ１２、１３は、給湯器１１に接続され、給湯装置１０の各機能について種々の設定を行うために用いられる。リモートコントローラ１２、１３は、それぞれ、表示部１２１、１３１と、入力部１２２、１３２とを備える。操作者は、表示部１２１、１３１に表示された画面に従って入力部１２２、１３２を操作することにより、湯張りや給湯温度調節等について、任意の設定を行うことができる。入力部１２２、１３２には、運転ボタン１２２ａ、１３２ａ、ふろ自動ボタン１２２ｂ、１３２ｂ、追い焚きボタン１２２ｃ、１３２ｃ、足し湯ボタン１２２ｄ、１３２ｄを含む各種の操作ボタンが設けられる。
【００２８】
リモートコントローラ１２、１３が運転オフモード（カラン等の給湯栓が開かれて基準流量以上の通水が発生したとしても給湯器１１が給湯運転を行わない状態）にあるとき、表示部１２１、１３１は消灯状態にあり、運転ボタン１２２ａ、１３２ａ以外の操作ボタンの操作は受け付けられない。運転ボタン１２２ａ、１３２ａが操作され、運転オンモード（カラン等の給湯栓が開かれて基準流量以上の通水が発生したときに給湯器１１が給湯運転を行える状態）になると、表示部１２１、１３１が点灯して設定内容が表示されるとともに運転ボタン１２２ａ、１３２ａ以外の操作ボタンの操作が受け付け可能となる。
【００２９】
ふろ自動ボタン１２２ｂ、１３２ｂは、ふろ自動機能の運転を開始および停止させるための操作ボタンである。追い焚きボタン１２２ｃ、１３２ｃは、追い焚き機能の運転を開始および停止させるための操作ボタンである。足し湯ボタン１２２ｄ、１３２ｄは、足し湯機能の運転を開始および停止させるための操作ボタンである。
【００３０】
リモートコントローラ１２は、浴室に設置され、リモートコントローラ１３は、キッチン等に設置される。以下、浴室に設置されるリモートコントローラ１２を、「浴室リモコン１２」と称し、キッチン等に設置されるリモートコントローラ１３を、「台所リモコン１３」と称する。
【００３１】
ルータ２０は、建物内（ここでは、宅内Ｈ１０）に存在する各機器を、外部通信網４０を介してサーバ５０に接続するための無線ルータである。ルータ２０には、ルータごとに個別に割り振られる識別子として、固有のＢＳＳＩＤ（Basic Service Set Identifier）が割り振られている。
【００３２】
台所リモコン１３は、無線通信により、ルータ２０に接続される。また、携帯端末装置３０が宅内Ｈ１０に存在する場合、携帯端末装置３０は、無線通信によりルータ２０に接続されて、サーバ５０と通信可能である。携帯端末装置３０は、たとえば、携帯電話機である。この他、携帯端末装置３０が、携帯型のタブレット端末等の他の携帯可能な端末装置であってもよい。外部通信網４０は、たとえば、インターネットである。
【００３３】
外部通信網４０には、給湯装置１０に対する遠隔制御（遠隔操作および遠隔監視）を管理するためのサーバ５０が接続されている。台所リモコン１３は、ルータ２０および外部通信網４０を介して、サーバ５０と通信を行う。携帯端末装置３０が宅内Ｈ１０に存在する場合、携帯端末装置３０は、ルータ２０および外部通信網４０を介してサーバ５０と通信を行う。また、携帯端末装置３０が宅外にある場合、携帯端末装置３０は、外部に設置されたルータ６０または基地局７０を介して外部通信網４０に接続され、サーバ５０と通信を行う。
【００３４】
台所リモコン１３と携帯端末装置３０には、給湯システム１のアプリケーションプログラムが、サーバ５０からダウンロードされ、インストールされている。このアプリケーションプログラムに、サーバ５０にアクセスするためのアドレス情報（ＩＰアドレス）が含まれている。台所リモコン１３と携帯端末装置３０は、このアドレス情報に基づいて、サーバ５０にアクセスし、通信を行う。台所リモコン１３のアドレス情報は、初期設定の際に、サーバ５０に送信され保持される。また、携帯端末装置３０のアドレス情報は、後述のペアリング処理の際に、携帯端末装置３０から台所リモコン１３に渡されて、台所リモコン１３からサーバ５０に送信され保持される。
【００３５】
本実施形態では、台所リモコン１３および携帯端末装置３０のアドレス情報として、後述の台所リモコン１３の無線通信部１３６および携帯端末装置３０の無線通信部３０５（図２参照）に保持されたＭＡＣ（Media Access Control）アドレスが用いられる。台所リモコン１３および携帯端末装置３０のアドレス情報として、台所リモコン１３の無線通信部１３６および携帯端末装置３０の無線通信部３０５のグローバルＩＰアドレスが用いられてもよい。
【００３６】
図１の構成において、操作者は、宅内Ｈ１０と宅外の何れにおいても、携帯端末装置３０を用いて、給湯装置１０に対する遠隔制御（遠隔操作およびは遠隔監視）を行うことができる。後述のように、本実施形態では、携帯端末装置３０ごとに、遠隔制御の対象の給湯装置１０が予め対応付けられる。言い換えれば、一つの給湯装置１０に、複数の携帯端末装置３０の対応付けが可能である。
【００３７】
携帯端末装置３０が宅内Ｈ１０と宅外の何れにある場合も、操作者から携帯端末装置３０に入力された設定要求は、外部通信網４０を介して、一旦、サーバ５０に送信される。これを受けて、サーバ５０は、設定要求を受信した携帯端末装置３０に予め対応付けられている給湯装置１０に対して、受信した設定要求を送信する。これにより、設定要求が、外部通信網４０およびルータ２０を介して、対応する給湯装置１０の台所リモコン１３に送信される。こうして、操作者が要求する内容の設定が、給湯装置１０に対して適用される。
【００３８】
また、給湯装置１０の状態情報は、所定周期で随時、台所リモコン１３からルータ２０を介してサーバ５０に送信される。サーバ５０は、受信した状態情報を、給湯装置１０ごとに管理する。操作者から携帯端末装置３０に入力された遠隔監視の閲覧要求は、外部通信網４０を介して、一旦、サーバ５０に送信される。これを受けて、サーバ５０は、閲覧要求を受信した携帯端末装置３０に予め対応付けられている給湯装置１０のうち、閲覧要求により指定された給湯装置１０の状態情報を、当該携帯端末装置３０に送信する。これにより、給湯装置１０の状態が、携帯端末装置３０において出力される。こうして、操作者は、給湯装置１０の状態を、宅内および宅外の両方において確認できる。なお、状態情報は、設定状態等の給湯装置１０に関わる状態を示す情報である。
【００３９】
図２は、給湯システム１を構成する各機器の回路ブロックを示す図である。
【００４０】
給湯器１１は、制御部１１１と、記憶部１１２と、通信部１１３と、水位センサ１１４と、流量センサ１１５と、を備える。制御部１１１は、ＣＰＵ（Central Processing Unit）を備え、記憶部１１２に記憶されたプログラムに従って、給湯器１１内の各部の制御を行う。記憶部１１２は、メモリを備え、所定の制御プログラムを記憶する。通信部１１３は、制御部１１１からの制御に従って、浴室リモコン１２および台所リモコン１３と通信を行う。
【００４１】
水位センサ１１４は、給湯装置１０が接続された浴槽の水位を検出する。水位センサ１１４は、たとえば、浴槽に接続された配管内の水圧によって浴槽の水位を検出する。制御部１１１は、水位センサ１１４により検出される水位の変化によって、浴槽に対し人が入浴および退浴したことを検出する。流量センサ１１５は、給湯口１１ａに接続された配管を流れる湯の流量を検出する。制御部１１１は、浴槽、カラン等に湯が供給されている時間と、流量センサ１１５が検出した流量により、お湯の使用量を求めることができる。
【００４２】
浴室リモコン１２は、上述の表示部１２１および入力部１２２の他、制御部１２３と、記憶部１２４と、通信部１２５と、入室センサ１２６とを備える。表示部１２１は、たとえば、液晶パネルにより構成される。入力部１２２は、温度設定ボタン等の各種操作ボタンを備える。表示部１２１が、タッチパネルであってもよい。制御部１２３は、ＣＰＵを備え、記憶部１２４に記憶されたプログラムに従って所定の制御を行う。記憶部１２４は、メモリを備え、所定の制御プログラムを記憶する。通信部１２５は、制御部１２３からの制御に従って、給湯器１１と通信を行う。入室センサ１２６は、浴室に対する人の出入りを検出する。入室センサ１２６は、たとえば、赤外線を用いた人感センサである。制御部１２３は、入室センサ１２６の出力に基づいて、浴室に人が入ったことを検出する。
【００４３】
台所リモコン１３は、上述の表示部１３１および入力部１３２の他、制御部１３３と、記憶部１３４と、通信部１３５を備える。表示部１３１は、たとえば、液晶パネルにより構成される。入力部１３２は、各種操作ボタンを備える。表示部１３１が、タッチパネルであってもよい。制御部１３３は、ＣＰＵを備え、記憶部１３４に記憶されたプログラムに従って所定の制御を行う。記憶部１３４は、メモリを備え、所定の制御プログラムを記憶する。通信部１３５は、制御部１３３からの制御に従って、給湯器１１と通信を行う。
【００４４】
さらに、台所リモコン１３は、無線通信部１３６を備える。ここで、無線通信部１３６は、ルータ２０との間で無線通信が可能な無線通信モジュールである。無線通信部１３６（無線通信モジュール）には、宅内Ｈ１０に設定されたＬＡＮ（Local Area Network）上の機器を特定するためのＩＰアドレスが割り振られている。この他、台所リモコン１３は、音声を出力するためのスピーカを備えている。
【００４５】
携帯端末装置３０は、表示部３０１と、入力部３０２と、制御部３０３と、記憶部３０４と、無線通信部３０５とを備える。表示部３０１は、たとえば、液晶パネルにより構成される。入力部３０２は、各種操作ボタンと、表示部３０１に積層されたタッチパネルとを備える。
【００４６】
制御部３０３は、ＣＰＵを備え、記憶部３０４に記憶されたプログラムに従って所定の制御を行う。記憶部３０４は、メモリを備え、所定の制御プログラムを記憶する。無線通信部３０５は、制御部３０３からの制御に従って、ルータ２０と通信を行う。無線通信部３０５は、ルータ２０との間で無線通信が可能な無線通信モジュールである。無線通信部３０５にもＩＰアドレスが割り振られている。この他、携帯端末装置３０は、音声を出力するためのスピーカを備えている。
【００４７】
サーバ５０は、制御部５０１と、記憶部５０２と、通信部５０３を備える。制御部５０１は、ＣＰＵを備え、記憶部５０２に記憶されたプログラムに従って所定の制御を行う。記憶部５０２は、メモリおよびハードディスクを備え、所定の制御プログラムおよびデータベースを記憶する。通信部５０３は、制御部５０１からの制御に従って、所定の制御を行う。
【００４８】
上述のように、本実施形態では、予め、給湯装置１０に対して遠隔制御および遠隔監視を行うことが可能な携帯端末装置３０が、給湯装置１０に対応付けて、サーバ５０に登録される。すなわち、予め、給湯装置１０と携帯端末装置３０とがペアリングされ、ペアリングを示す情報が、サーバ５０において管理される。
【００４９】
本実施形態では、このペアリングが、給湯装置１０が設置された建物内のルータ２０を介して行われる。すなわち、携帯端末装置３０の所持者は、原則、給湯装置１０が設置された建物内に携帯端末装置３０を所持して立ち入らなければ、自身の携帯端末装置３０と給湯装置１０とをペアリングできない。これにより、悪意の第三者によって不当に、携帯端末装置３０と給湯装置１０とがペアリングされることを防止できる。よって、不当に遠隔制御および遠隔監視が行われるリスクを解消できる。
【００５０】
図３（ａ）、（ｂ）は、それぞれ、給湯装置１０と携帯端末装置３０とをペアリングするための、台所リモコン１３と携帯端末装置３０における処理を示すフローチャートである。
【００５１】
操作者は、宅内Ｈ１０において、携帯端末装置３０にインストールされた給湯システム１のアプリケーションプログラムを起動し、携帯端末装置３０をペアリングモードに設定する。その後、操作者は、台所リモコン１３の入力部１３２に対し、ペアリングのための操作を行う。
【００５２】
こうして、台所リモコン１３に対してペアリング操作が行われると（Ｓ１１：ＹＥＳ）、台所リモコン１３の制御部１３３は、ペアリングのためのアナウンスをブロードキャストで送信する（Ｓ１２）。携帯端末装置３０が宅内Ｈ１０にある場合、このアナウンスは携帯端末装置３０により受信される。
【００５３】
携帯端末装置３０の制御部３０３は、このアナウンスを受信すると（Ｓ２１：ＹＥＳ）、表示部３０１に、ペアリングを要求する操作を受け付けるための受付画面を表示させる（Ｓ２２）。操作者は、この受付画面で要求操作を行う。これにより、制御部３０３は、ペアリング要求を台所リモコン１３に送信する（Ｓ２３）。このペアリング要求には、携帯端末装置３０のＩＤ情報およびアドレス情報（ＭＡＣアドレス）が含まれる。ＩＤ情報として、ＵＵＩＤ（Universally Unique Identifier）、ＧＵＩＤ（GloballyUnique Identifier）等が用いられる。
【００５４】
台所リモコン１３の制御部１３３は、アナウンスの送信から所定時間以内に携帯端末装置３０からペアリング要求を受信すると（Ｓ１３：ＹＥＳ）、ペアリング応答を携帯端末装置３０に送信し（Ｓ１４）、さらに、ペアリング結果をサーバ５０に送信して（Ｓ１５）、処理を終了する。このペアリング結果には、ペアリング要求に含まれた携帯端末装置３０のＩＤ情報およびアドレス情報とともに、給湯装置１０（ここでは、台所リモコン１３）のＩＤ情報（ＵＵＩＤ、ＧＵＩＤ等）が含まれる。他方、所定時間以内にペアリング要求を受信しなかった場合（Ｓ１３：ＮＯ）、制御部１３３は、ペアリング結果を送信することなく、処理を終了する。携帯端末装置３０側の制御部３０３では、台所リモコン１３からペアリング応答を受信して（Ｓ２４：ＹＥＳ）、処理を終了する。
【００５５】
次に、ペアリングが行われた給湯装置１０と携帯端末装置３０との間で行われる遠隔制御の流れについて説明する。
【００５６】
図４（ａ）は、携帯端末装置３０において管理される給湯装置１０と携帯端末装置３０とのペアリング情報の構成を示す図である。
【００５７】
図４（ａ）に示すように、携帯端末装置３０では、ペアリングを行った給湯装置１０のＩＤ情報（ここでは、台所リモコン１３のＩＤ情報）が管理されている。また、各給湯装置１０に対して、操作者が設定した名称が対応付けられている。名称の設定は、たとえば、受付画面においてペアリングの要求操作が行われた後に、名称設定用の画面が表示されて行われる。操作者は、自身にとって分かり易い名称を、各給湯装置１０に付することができる。携帯端末装置３０におけるペアリング情報の登録は、台所リモコン１３からペアリング応答を受信した後に行われる。ペアリング情報は、携帯端末装置３０の記憶部３０４に保持される。
【００５８】
図４（ｂ）、（ｃ）は、携帯端末装置３０を用いて遠隔制御を行う際に携帯端末装置３０に表示される画面を示す図である。
【００５９】
操作者が自身の携帯端末装置３０において給湯システム１のためのアプリケーションプログラムを起動した後、所定の操作を行うと、図４（ｂ）の選択画面５１０が表示される。この選択画面５１０には、メッセージ５１１と、選択キー群５１２と、確認ボタン５１３が含まれる。メッセージ５１１は、遠隔制御の対象を選択することを促す文章となっている。
【００６０】
選択キー群５１２には、選択候補を示す選択キー５１２ａが上下に並んで含まれている。選択候補は、図４（ａ）に示したペアリンク情報の名称によって規定される。各選択キー５１２ａには、それぞれ、図４（ａ）に示したペアリンク情報の名称が付されている。選択キー５１２ａは、指を選択キー群５１２の位置に当てて上下にスライドさせることにより、スクロールできる。操作者は、遠隔制御を行おうとする給湯装置１０に付した名称の選択キー５１２ａにタッチして、遠隔制御の対象を選択する。選択された選択キー５１２ａは、ハイライト表示される。選択対象を誤った場合、操作者は、再度、選択キー５１２ａにタッチする。これにより、選択が解除される。
【００６１】
こうして対象を選択した後、操作者は、確認ボタン５１３にタッチする。これにより、図４（ｃ）に示す選択画面５２０が表示される。操作者は、この選択画面５２０を用いて、遠隔制御の種別を選択するための操作を行う。
【００６２】
選択画面５２０には、メッセージ５２１と、選択ボタン５２２、５２３と、確定ボタン５２４と、戻るボタン５２５とが含まれている。メッセージ５２１は、遠隔制御の種別を選択することを促す文章となっている。選択ボタン５２２、５２３は、それぞれ、遠隔操作と遠隔監視を遠隔制御の種別として選択するための操作部である。確定ボタン５２４は、選択処理を確定させるための操作部である。確定ボタン５２４は、選択ボタン５２２、５２３の何れか一方が選択された場合に操作可能となる。戻るボタン５２５は、画面を選択画面５１０に戻すための操作部である。
【００６３】
操作者は、選択ボタン５２２、５２３のうち、自身が行おうとする遠隔制御の種別に対応する選択ボタンにタッチして、遠隔制御の種別を選択する。選択された選択ボタンは、ハイライト表示される。選択対象を誤った場合、操作者は、再度、選択ボタンにタッチする。これにより、選択が解除される。画面を戻す場合、操作者は戻るボタン５２５にタッチする。
【００６４】
選択ボタン５２２、５２３の何れか一方が選択された後、操作者が確定ボタン５２４にタッチすると、選択ボタン５２２、５２３の選択に応じた遠隔制御のための画面が携帯端末装置３０の表示部３０１に表示される。即ち、選択ボタン５２２が選択された場合、遠隔操作のための遠隔操作画面７００が表示され、選択ボタン５２３が選択された場合、遠隔監視のための遠隔監視画面６００が表示される。
【００６５】
図５（ａ）は、遠隔監視画面６００を示す図であり、図５（ｂ）は、遠隔操作画面７００を示す図である。
【００６６】
遠隔監視画面６００は、給湯装置１０の各種設定状態および入浴の有無を監視できる画面である。図５（ａ）を参照して、遠隔監視画面６００は、３つの領域６１０、６２０、６３０に区分されている。領域６１０には、名称表示部６１１と、給湯温度表示部６１２と、風呂温度表示部６１３と、風呂湯量表示部６１４と、浴槽画像６１５と、入浴時間表示部６１６と、が含まれている。
【００６７】
名称表示部６１１には、遠隔監視が適用される給湯装置１０の名称が表示される。給湯温度表示部６１２、風呂温度表示部６１３および風呂湯量表示部６１４には、それぞれ、随時、サーバ５０から携帯端末装置３０が受信した状態情報に基づいて、現在の給湯温度、風呂温度および風呂湯量の設定状態が示される。
【００６８】
遠隔監視画面６００を選択する選択ボタン５２３が選択された後に確定ボタン５２４がタッチされると、携帯端末装置３０からサーバ５０へ閲覧要求が送信される。この閲覧要求は、当該携帯端末装置３０のＩＤ情報と、操作者により選択された遠隔制御の対象の給湯装置１０のＩＤ情報を含む。サーバ５０は、遠隔制御要求が送られてくると、送信元の携帯端末装置３０への給湯温度、風呂温度、風呂湯量等の状態情報の送信を開始する。これにより、遠隔監視画面６００での設定状態に関する情報表示が可能となる。
【００６９】
浴槽画像６１５には、現在の風呂湯量の設定状態が浴槽に溜められる水の画像として表示される。浴槽に人が入浴中であることが状態情報に含まれている場合、浴槽画像６１５に、人が浴槽に入浴していることを示す画像Ｍ１が付加される。また、入浴時間表示部６１６には、状態情報に基づいて、浴槽に対する現在の入浴時間が表示される。
【００７０】
領域６２０には、画面が遠隔操作画面７００である場合に所定の設定等を行うためのボタン６２１〜６２４が表示される。ボタン６２１〜６２４は、それぞれ、追い焚き機能の設定、風呂自動機能の設定、風呂洗浄機能の設定および風呂タイマー機能の設定のためのボタンである。ここでは、画面が遠隔監視画面６００であるため、これらのボタンは無効化されている。領域６３０には、遠隔監視の対象となる機能を切り替えるための４つのボタンが表示される。
【００７１】
操作者は、遠隔監視画面６００を参照することにより、名称表示部６１１に表示された給湯装置１０の状況を確認できる。図５（ａ）の例では、操作者は、名称表示部６１１に表示された給湯装置１０における、風呂の状況を種々確認することができる。これにより、操作者は、名称表示部６１１に表示された給湯装置１０の場所から離れていても、当該給湯装置１０の状況を的確に把握できる。
【００７２】
遠隔操作画面７００は、携帯端末装置３０から給湯装置１０を遠隔操作するための画面である。図５（ｂ）を参照して、遠隔操作画面７００について説明する。遠隔操作画面７００のレイアウトは、図５（ａ）に示した遠隔監視画面６００と同様である。遠隔操作画面７００は、遠隔監視画面６００と同様、３つの領域７１０、７２０、７３０に区分されている。
【００７３】
領域７１０には、名称表示部７１１と、給湯温度設定部７１２と、風呂温度設定部７１３と、風呂湯量設定部７１４と、浴槽画像７１５と、が含まれる。名称表示部７１１には、名称表示部６１１と同様、当該給湯装置１０に付された名称が表示される。
【００７４】
給湯温度設定部７１２、風呂温度設定部７１３および風呂湯量設定部７１４には、それぞれ、現在の給湯温度、風呂温度および風呂湯量の設定状態が示される。さらに、操作者は、給湯温度設定部７１２、風呂温度設定部７１３および風呂湯量設定部７１４に対する操作により、給湯温度、風呂温度および風呂湯量を変更できる。浴槽画像７１５には、現在の風呂湯量の設定状態が浴槽に溜められる水の画像として表示される。
【００７５】
領域７２０に含まれる各ボタン７２１〜７２４は、操作可能に有効化されている。ボタン７２１〜７２４は、図５（ａ）のボタン６２１〜６２４に対応する。操作者は、これらのボタン７２１〜７２４を操作することにより、名称表示部７１１に表示された給湯装置１０に対して、各ボタン７２１〜７２４に対応する設定を行うことができる。遠隔操作画面７００では、操作者からの設定操作に応じた情報が、随時、サーバ５０に送信され、さらに、サーバ５０から台所リモコン１３に送信される。これにより、遠隔操作の対象の給湯装置１０に所定の設定が行われる。
【００７６】
次に、本実施形態の給湯システム１で行われる遠隔監視について詳細に説明する。
【００７７】
本実施形態の給湯システム１は、遠隔監視に関して、携帯端末装置３０からの閲覧要求に基づいて給湯装置１０に関わる状態を示す状態情報が携帯端末装置３０に送られる第１監視機能と、給湯装置１０が監視対象の事象を検出したことに基づいて当該事象の発生を示す通知情報が携帯端末装置３０に送られる第２監視機能と、を実行できる。第１監視機能では、携帯端末装置３０の表示部３０１に、状態情報に基づいて、図５（ａ）の遠隔監視画面６００が表示される。第２監視機能では、携帯端末装置３０の表示部３０１に、通知情報に基づいて、後述する通知画面が表示される。
【００７８】
ここで、状態情報には、給湯装置１０の設定状態を示す情報、浴槽内の人の有無を示す情報、などが含まれる。また、監視対象の事象には、ふろ自動機能の運転の開始操作および終了操作の少なくとも何れか一つ、追い焚き機能の運転の開始操作および終了操作の少なくとも何れか一つ、浴槽に対する人の入浴および退浴の少なくとも何れか一つ、浴室に対する人の入室および退室の少なくとも何れか一つ、などが含まれる。
【００７９】
さらに、本実施形態の給湯システム１では、給湯システム１で行われる遠隔監視の内容を携帯端末装置３０の操作者（ユーザ）が選択できる。具体的には、操作者は、第１監視機能と第２監視機能の双方が実行されるか第１監視機能のみが実行されるかの選択を行うことができる。また、第２監視機能が行われる場合に、複数の監視対象の事象の中からの通知情報が携帯端末装置３０に送られる監視対象の事象の選択を行うことができる。
【００８０】
本実施形態では、通知情報が携帯端末装置３０に送られる監視対象の事象の選択が、予め決められた２つのパターンの中からの選択となり、２つのパターンは、通知情報が携帯端末装置３０に送られる監視対象の事象の数が相対的に少ないパターンと、通知情報が携帯端末装置３０に送られる監視対象の事象の数が相対的に多いパターンとからなる。
【００８１】
第１監視機能と第２監視機能の双方が実行される場合には、第１監視機能のみが実行される場合よりも遠隔監視のレベルが高くなると考えられ、第１監視機能と第２監視機能の双方が実行される場合は、さらに、通知情報が携帯端末装置３０に送られる監視対象の事象が第２監視機能に多く含まれる方が、遠隔監視のレベルが高くなると考えられる。よって、本実施形態では、監視レベルが選択設定されることにより、遠隔監視の内容が選択される形態が採られている。
【００８２】
監視レベルの選択設定は、携帯端末装置３０の表示部３０１に表示される設定画面において行われる。設定画面を用いた設定処理は、携帯端末装置３０の制御部３０３により実行される。記憶部３０４には、制御部３０３に設定処理を実行させるためのプログラムが記憶されている。
【００８３】
なお、設定処理は、ペアリングが終了したときに、自動的に開始されるようにするとよい。このようにすれば、操作者は、設定処理を忘れずに行うことができる。また、ペアリングを行う処理の中に設定処理が含まれるような構成とされた場合も、操作者は、設定処理を忘れずに行うことができる。
【００８４】
図６（ａ）は、設定処理を示すフローチャートである。
【００８５】
図６（ａ）を参照して、制御部３０３は、設定画面を表示部３０１に表示させて監視レベルの選択設定を受け付ける（Ｓ３１）。操作者は、設定画面に対して監視レベルを選択するための入力を行う。
【００８６】
図６（ｂ）は、設定画面８００の構成を示す図である。
【００８７】
設定画面８００には、メッセージ８１０と、３つの選択ボタン８２０、即ち、低ボタン８２１、中ボタン８２２および高ボタン８２３と、確定ボタン８３０が含まれている。メッセージ８１０は、監視レベルの選択を促す文章となっている。選択ボタン８２０は、監視レベルを選択するための操作部である。確定ボタン８３０は、監視レベルの選択を確定させるための操作部である。
【００８８】
選択ボタン８２０において、低ボタン８２１は、低レベルである第１監視機能のみの実行を選択するためのボタンである。また、中ボタン８２２は、中レベルである第１監視機能と通知情報が携帯端末装置３０に送られる監視対象の事象が相対的に少ない第２監視機能との実行を選択するためのボタンである。さらに、高ボタン８２３は、高レベルである第１監視機能と通知情報が携帯端末装置３０に送られる監視対象の事象が相対的に多い第２監視機能との実行を選択するためのボタンである。ここでは、中レベルの場合、通知情報が携帯端末装置３０に送られる監視対象の事象として、ふろ自動機能の運転の開始操作および終了操作が含まれる。また、高レベルの場合、通知情報が携帯端末装置３０に送られる監視対象の事象として、ふろ自動機能の運転の開始操作および終了操作と、浴槽に対する人の入浴および退浴とが含まれる。なお、中レベルの場合に、第２監視機能に、ふろ自動機能の運転の開始操作および終了操作に替えてまたはこれに加えて、追い焚き機能の運転の開始操作および終了操作が含まれてもよい。また、中レベルの場合に、第２監視機能に、ふろ自動機能の運転の開始操作および終了操作に替えてまたはこれに加えて、追い焚き機能の運転の開始操作および終了操作が含まれてもよし、浴槽に対する人の入浴および退浴に替えてまたはこれに加えて浴室に対する人の入室および退室が含まれてもよい。
【００８９】
操作者は、低ボタン８２１、中ボタン８２２または高ボタン８２３にタッチする。これにより、たとえば、タッチされた選択ボタン８２０に所定の色が付されてハイライト表示される。選択を誤った場合、操作者は、再度、その選択ボタン８２０にタッチする。これにより、選択が解除される。こうして、監視レベルを選択した後、操作者は、確定ボタン８３０にタッチする。これにより、監視レベルの選択が確定する。
【００９０】
図６（ａ）に戻り、制御部３０３は、操作者により確定ボタン８３０が操作されて確定操作がなされると（Ｓ３２：ＹＥＳ）、選択結果の情報として、選択された監視レベルをサーバ５０へ送信する（Ｓ３３）。
【００９１】
サーバ５０では、携帯端末装置３０から送信された監視レベル（選択結果）を登録する登録処理が制御部５０１により実行される。記憶部５０２には、制御部５０１に登録処理を実行させるためのプログラムが記憶されている。
【００９２】
図７（ａ）は、登録処理を示すフローチャートである。
【００９３】
図７（ａ）を参照して、サーバ５０の制御部５０１は、携帯端末装置３０から監視レベルを受信したか否かを監視する（Ｓ４１）。監視レベルが受信されると（Ｓ４１：ＹＥＳ）、制御部５０１は、受信した監視レベルを記憶部５０２に登録する（Ｓ４２）。
【００９４】
図７（ｂ）は、監視レベルが登録された登録テーブル５０２ａの構成を示す図である。
【００９５】
図７（ｂ）に示すように、記憶部５０２の登録テーブル５０２ａには、それぞれ携帯端末装置３０で選択設定された監視レベル（選択結果）が、その携帯端末装置３０のＩＤ情報に対応付けられて登録される。
【００９６】
図６（ａ）の設定処理および図７（ａ）の登録処理が完了すると、給湯装置１０、サーバ５０および携帯端末装置３０のそれぞれにおいて、遠隔監視処理の実行が開始される。以下に説明する図８、図９および図１０の遠隔監視処理は、給湯システム１が稼働している間、繰り返し実行される。
【００９７】
図８は、給湯装置１０の台所リモコン１３の制御部１３３により実行される遠隔監視処理を示すフローチャートである。台所リモコン１３の記憶部１３４には、制御部１３３に遠隔監視処理を実行させるためのプログラムが記憶されている。
【００９８】
図８を参照して、制御部１３３は、状態情報の送信タイミングが到来したか否かを監視する（Ｓ５１）。送信情報の送信タイミングは周期的に到来する。また、制御部１３３は、監視対象の事象が検出されたか否かを監視する（Ｓ５２）。
【００９９】
送信タイミングが到来すると（Ｓ５１：ＹＥＳ）、制御部１３３は、給湯装置１０の設定状態等の状態情報をサーバ５０に送信する（Ｓ５３）。このようにして、状態情報は、定期的に給湯装置１０からサーバ５０へ送られる。
【０１００】
監視対象の事象が検出されると（Ｓ５２：ＹＥＳ）、制御部１３３は、その事象が発生したことを示す通知情報をサーバ５０に送信する（Ｓ５４）。たとえば、ふろ自動ボタン１２２ｂ、１３２ｂによるふろ自動機能の運転の開始操作が検出されると、開始操作が行われたことを示す通知情報がサーバ５０へ送信され、浴槽へ人が入浴したことが検出されると、人が入浴したことを示す通知情報がサーバ５０へ送信される。これらの通知情報の送信は、携帯端末装置３０で受け付けられた監視レベルに基づくことなく行われる。即ち、給湯システム１において予め監視対象の事象として定められた全ての事象について、その事象が検出される度に通知情報が送信される。なお、通知情報には、監視対象の事象が検出された時刻が含まれる。
【０１０１】
図９は、サーバ５０の制御部５０１により実行される遠隔監視処理を示すフローチャートである。サーバ５０の記憶部５０２には、制御部５０１に遠隔監視処理を実行させるためのプログラムが記憶されている。
【０１０２】
図９を参照して、制御部５０１は、給湯装置１０からの状態情報を受信したか否かを監視する（Ｓ６１）。また、制御部５０１は、携帯端末装置３０からの閲覧要求を受信したか否かを監視する（Ｓ６２）。
【０１０３】
状態情報を受信すると（Ｓ６１：ＹＥＳ）、制御部５０１は、受信した状態情報を記憶部５０２に更新登録する（Ｓ６３）。記憶部５０２に記憶されている送信元の給湯装置１０の状態情報が、受信した状態情報に書き換えられる。
【０１０４】
閲覧要求を受信すると（Ｓ６２：ＹＥＳ）、制御部５０１は、閲覧要求があった携帯端末装置３０とペアリングされた給湯装置１０の状態情報を記憶部５０２から読み出し、その携帯端末装置３０に送信する（Ｓ６４）。このようにして、制御部５０１により、第１監視機能が実行される。
【０１０５】
制御部５０１は、給湯装置１０からの通知情報を受信したか否かを監視する（Ｓ６５）。通知情報を受信すると（Ｓ６５：ＹＥＳ）、制御部５０１は、送信元の給湯装置１０とペアリングされた全ての携帯端末装置３０について、登録テーブル５０２ａに記憶された監視レベルを参照し、監視レベルに従って、それらの携帯端末装置３０への通知情報の送信を行う（Ｓ６６）。即ち、監視レベルが低レベルに設定された携帯端末装置３０には通知情報が送信されない。一方、監視レベルが中レベルおよび高レベルに設定された携帯端末装置３０には、受信した通知情報がそれらのレベルの送信対象となっている場合に、その通知情報が送信される。本実施形態では、たとえば、ふろ自動機能の運転の開始操作を示す通知情報は、中レベルおよび高レベルに設定された携帯端末装置３０に送信され、浴槽に対する人の入浴を示す通知情報は、高レベルに設定された携帯端末装置３０にのみ送信される。このようにして、制御部５０１により、監視レベルが低レベルに設定された携帯端末装置３０に対しては第２監視機能が実行されず、監視レベルが中レベルおよび高レベルに設定された携帯端末装置３０に対しては監視レベルに従った第２監視機能が実行される。
【０１０６】
図１０は、携帯端末装置３０の制御部３０３により実行される遠隔監視処理を示すフローチャートである。携帯端末装置３０の記憶部３０４には、制御部３０３に遠隔監視処理を実行させるためのプログラムが記憶されている。
【０１０７】
図１０を参照して、制御部３０３は、閲覧の操作、即ち、図４（ｃ）の選択画面５２０での選択ボタン５２３の操作に続く確定ボタン５２４の操作が行われたか否かを監視する（Ｓ７１）。また、制御部３０３は、サーバ５０からの通知情報を受信したか否かを監視する（Ｓ７２）。
【０１０８】
閲覧の操作がなされると（Ｓ７１：ＹＥＳ）、制御部３０３は、閲覧要求を、その携帯端末装置３０のＩＤ情報とともにサーバ５０へ送信する（Ｓ７３）。そして、制御部３０３は、サーバ５０からの状態情報の受信を待つ（Ｓ７４）。状態情報を受信すると（Ｓ７４：ＹＥＳ）、制御部３０３は、受信した状態情報に基づいて、図５（ａ）の遠隔監視画面６００を表示部３０１に表示させる（Ｓ７５）。
【０１０９】
一方、通知情報を受信すると（Ｓ７２：ＹＥＳ）、制御部３０３は、受信した通知情報に基づいて、通知画面を表示部３０１に表示させる（Ｓ７６）。
【０１１０】
図１１（ａ）および（ｂ）は、通知画面９００の一例を示す図である。
【０１１１】
通知画面９００には、監視対象の事象とその事象が発生した時刻とを示す情報９１０と、確認ボタン９２０が含まれる。たとえば、ふろ自動機能の運転の開始操作を示す通知情報が受信された場合、表示部３０１上に、図１１（ａ）に示す通知画面９００がポップアップ表示され、浴槽への人の入浴を示す通知情報が受信された場合、表示部３０１上に、図１１（ｂ）に示す通知画面９００がポップアップ表示される。通知画面９００は、確認ボタン９２０が操作されることにより閉じられる。
【０１１２】
＜実施形態の効果＞
本実施形態によれば、以下の効果が奏され得る。
【０１１３】
給湯システム１で行われる遠隔監視の内容を携帯端末装置３０の操作者が選択できる。具体的には、操作者は、選択ボタン８２０の操作により、第１監視機能と第２監視機能の双方が実行されるか第１監視機能のみが実行されるかの選択と、複数の監視対象の事象の中からの通知情報が携帯端末装置３０に送られる監視対象の事象の選択とを行うことができる。これにより、操作者は、自身に適した遠隔監視の内容を選択して給湯システム１に行わせることができる。
【０１１４】
また、図６（ｂ）に示すように、設定画面８００には、監視レベルが低レベルである第１監視機能のみの実行を選択するための低ボタン８２１と、監視レベルが中レベルである第１監視機能と通知情報が携帯端末装置３０に送られる監視対象の事象が相対的に少ない第２監視機能との実行を選択するための中ボタン８２２と、監視レベルが高レベルである第１監視機能と通知情報が携帯端末装置３０に送られる監視対象の事象が相対的に多い第２監視機能との実行を選択するための高ボタン８２３とが設けられる。これにより、操作者は、低ボタン８２１、中ボタン８２２および高ボタン８２３による選択操作を行うことより、容易に、自身が要望する監視レベルの遠隔監視を給湯システム１に行わせることができる。
【０１１５】
さらに、給湯装置１０からは携帯端末装置３０での選択結果に基づくことなく、全ての監視対象の事象について、それらの事象が発生したときに通知情報がサーバ５０へ送信され、サーバ５０側において、送信された通知情報が、選択結果に従って携帯端末装置３０に送信される。これにより、同じ給湯装置１０の遠隔監視を行う携帯端末装置３０が複数存在する場合に、それぞれの携帯端末装置３０の間で異なる選択を行うことが可能となる。
【０１１６】
以上、本発明の実施形態について説明したが、本発明は、上記実施形態に限定されるものではなく、また、本発明の適用例も、上記実施形態の他に、種々の変更が可能である。
【０１１７】
たとえば、上記実施形態では、中ボタン８２２または高ボタン８２３の操作により、通知情報が携帯端末装置３０に送られる監視対象の事象が、予め決められた２つのパターンから選択される形態が採られた。しかしながら、携帯端末装置３０の操作者が、複数の監視対象の事象の中から通知情報が携帯端末装置３０に送られる監視対象の事象を個々に選択できるようにしてもよい。たとえば、図１２（ａ）ないし（ｃ）に示す構成例１と、図１３（ａ）および（ｂ）に示す構成例２とを挙げることができる。
【０１１８】
構成例１では、図１２（ａ）に示すように、設定画面８００に、詳細設定ボタン８４０が含まれる。詳細設定ボタン８４０が操作されると、図１２（ｂ）に示すように、通知情報が携帯端末装置３０に送られる監視対象の事象を選択するための選択画面８５０が表示部３０１に表示される。選択画面８５０には、複数の選択候補８６０と、各選択候補８６０に隣接するチェックボックス８７０と、確定ボタン８８０と、戻るボタン８９０とが含まれる。なお、選択画面８５０の選択候補８６０の中には、監視対象の事象として、上述していない運転ボタン１２２ａ、１３２ａの操作が含まれている。
【０１１９】
操作者が、希望する選択候補８６０に対応するチェックボックス８７０にタッチすると、チェックボックス８７０にチェックが入れられ、その選択候補８６０が選択される。操作者は、全ての選択が完了すると、確定ボタン８８０を操作する。なお、選択を行うことなく設定画面８００に戻る場合、操作者は、戻るボタン８９０を操作する。
【０１２０】
確定ボタン８８０が操作されると、図１２（ｃ）に示すように、設定画面８００に、選択ボタン８２０の一つとして、お好みボタン８２４が加えられる。お好みボタン８２４は、選択画面８５０で選択した選択候補８６０を、通知情報が携帯端末装置３０に送られる監視対象の事象として設定するボタンである。お好みボタン８２４が操作された後に確定ボタン８３０が操作されると、監視レベルがお好み設定であることを示す情報であって、選択された監視対象の事象が含まれる情報がサーバ５０へ送信される。
【０１２１】
なお、この構成例１では、操作者の好みの設定が行えるお好みボタン８２４が設定画面８００に加わるので、操作者が、一旦、別の選択ボタン８２０により別の監視レベルに替えた場合でも、お好みの設定に戻すのが容易となる。
【０１２２】
構成例２では、図１３（ａ）に示すように、設定画面８００に、上記実施形態の中ボタン８２２および高ボタン８２３に替えて、第１監視機能と第２監視機能の双方の実行を選択するための高ボタン８２５が設けられる。高ボタン８２５が操作されると、図１３（ｂ）に示すように、構成例１と同じ選択画面８５０が表示部３０１に表示される。
【０１２３】
操作者が、希望する選択候補８６０に対応するチェックボックス８７０にタッチすると、チェックボックス８７０のチェックが入れられ、その選択候補８６０が選択される。操作者は、全ての選択が完了すると、確定ボタン８８０を操作する。
【０１２４】
確定ボタン８８０が操作されると、設定画面８００に戻る。このとき、選択画面８５０で選択された選択候補８６０が、通知情報が携帯端末装置３０に送られる監視対象の事象として設定された状態となる。その後、設定画面８００において確定ボタン８３０が操作されると、監視レベルが高レベルであることを示す情報であって、選択された監視対象の事象が含まれる情報がサーバ５０へ送信される。
【０１２５】
さらに、上記実施形態では、設定画面８００において、第１監視機能と第２監視機能の双方が実行されるか第１監視機能のみが実行されるかの選択と、複数の監視対象の事象の中からの通知情報が携帯端末装置３０に送られる監視対象の事象の選択の２つの選択が行えた。しかしながら、設定画面８００において、上記２つの選択のうちの何れか一つの選択が行えるような構成が採られてもよい。
【０１２６】
さらに、上記実施形態において、ふろ自動機能の運転の開始操作および終了操作の双方ではなく、それらのうちの何れか一つが、通知情報が携帯端末装置３０に送られる監視対象の事象とされてもよい。同様に、浴槽に対する人の入浴および退浴のうち何れか一つ、追い焚き機能の運転の開始操作および終了操作のうち何れか一つ、並びに、浴室に対する人の入室および退室のうち何れか一つが、通知情報が携帯端末装置３０に送られる監視対象の事象とされてもよい。
【０１２７】
なお、監視対象の事象は、上述したもの以外のものでもよい。たとえば、浴室に設けられたカランから給湯が開始されたことが、監視対象の事象とされてもよい。
【０１２８】
さらに、上記実施形態では、設定画面８００による遠隔監視の内容の選択操作が携帯端末装置３０において行われた。しかしながら、携帯端末装置３０に加えて、あるいはこれに替えて、台所リモコン１３において、設定画面８００による遠隔監視の内容の選択操作が行われるようにされてもよい。この場合、入力部１３２に、表示部１３１に積層されたタッチパネルが含まれる。そして、台所リモコン１３の制御部１３３により、図６（ａ）の処理が実行され、台所リモコン１３の表示部１３１に設定画面８００が表示される。
【０１２９】
さらに、上記実施形態では、サーバ５０の制御部５０１は、給湯装置１０からの通知情報を受信する度に、受信した通知情報を携帯端末装置３０に送信した。しかしながら、制御部５０１は、受信した通知情報を、一旦、記憶部５０２に記憶し、一定時間（一定期間）ごとや決められた時刻ごとにまとめて携帯端末装置３０に送信するようにしてもよい。
【０１３０】
さらに、上記実施形態では、給湯装置１０から定期的に状態情報がサーバ５０に送信された。しかしながら、携帯端末装置３０から閲覧請求を受けたサーバ５０から給湯装置１０へ送信要求が送信されたことに基づいて、給湯装置１０から状態情報がサーバ５０に送信されるようにしてもよい。
【０１３１】
さらに、上記実施形態において、操作者が図６（ｂ）の設定画面８００による監視レベルの選択設定を行わず、図６（ａ）の設定処理が行われない場合、デフォルト設定として、自動的に監視レベルが低レベルの設定、即ち、第１監視機能のみが実行される設定がなされるようにされてもよい。なお、デフォルト設定として、監視レベルが中レベルや高レベルの設定が行われてもよい。
【０１３２】
さらに、上記実施形態では、ペアリング終了時、あるいは、ペアリング処理中に図６（ａ）の設定処理が行われるような構成されたが、これに代えて、あるいは、これとともに、ベアリング処理とは別のタイミングで（たとえば、ユーザによる所定の操作をトリガーとして）上記設定処理が行われるような構成とされてもよい。この場合、上記設定処理がなされるまでは所定のデフォルト設定状態とすることができる。
【０１３３】
さらに、上記実施形態では、携帯端末装置３０が、通信端末装置として給湯システム１の一部を構成した。しかしながら、据え置き型のパーソナルコンピュータ等、携帯型でない通信端末装置が給湯システム１の一部を構成してもよい。
【０１３４】
さらに、上記実施形態では、給湯システム１は、給湯装置１０に対する遠隔操作と遠隔監視の双方を行えるものであった。しかしながら、給湯システム１は、遠隔監視のみが行われるものであってもよい。
【０１３５】
この他、本発明の実施形態は、特許請求の範囲に記載の範囲で適宜種々の変更可能である。
【符号の説明】
【０１３６】
１  給湯システム
１０  給湯装置
３０  携帯端末装置（通信端末装置）
３０２  入力部
５０  サーバ（管理装置）
５０１  制御部
５０２  記憶部
８２１  低ボタン（第１ボタン）
８２２  中ボタン（第２ボタン）
８２３  高ボタン（第３ボタン）
【図１】
2020094728.tif 000003
【図２】
2020094728.tif 000004
【図３】
2020094728.tif 000005
【図４】
2020094728.tif 000006
【図５】
2020094728.tif 000007
【図６】
2020094728.tif 000008
【図７】
2020094728.tif 000009
【図８】
2020094728.tif 000010
【図９】
2020094728.tif 000011
【図１０】
2020094728.tif 000012
【図１１】
2020094728.tif 000013
【図１２】
2020094728.tif 000014
【図１３】
2020094728.tif 000015